(57)【要約】【課題】  フェライトコアに巻回された一次コイルと二次コイルとの間隔の変えて漏れインダクタンス値の所望の値に設定することを容易ならしめた小型昇圧トランスを提供すること。【解決手段】  内脚31および２つの外脚32よりなる２つのＥ字形のフェライトコア３と、四角筒形の巻線部11、この巻線部11の両端に形成された２つの鍔部12、15、一端の鍔部12の下部に形成された端子部13、他端の鍔部15の下部に形成された連結部16とよりなる２つのボビン１、２とを具備し、２つのボビン１、２に一次コイル５aおよび二次コイル５をそれぞれ巻線して、連結部16により２つのボビンを連結し、２つのＥ字形のフェライトコア３の内脚を連結したボビンの四角筒形の巻線部11に挿通して接合したものである。【選択図】      図３
2007281372.tif 000002
【特許請求の範囲】
【請求項１】
内脚および２つの外脚よりなる２つのＥ字形のフェライトコアと、
四角筒形の巻線部、該巻線部の両端に形成された２つの鍔部、一端の前記鍔部の下部に形成された端子部、他端の前記鍔部の下部に形成された連結部とよりなる２つのボビンと、
を具備し、上記２つのボビンに一次コイルおよび二次コイルをそれぞれ巻線して、連結部により２つのボビンを連結し、上記２つのＥ字形のフェライトコアの内脚を連結したボビンの四角筒形の巻線部に挿通して接合したことを特徴とする小型昇圧トランス。
【請求項２】
ボビンの端子部と連結部との間隔を変えることなく、巻線部の長さを短くすることを特徴とする請求項１に記載の小型昇圧トランス。
【請求項３】
ボビンの巻線部にスペーサをを嵌め込んで巻線幅を狭めることを特徴とする請求項１に記載の小型昇圧トランス。
【請求項４】
２つのＥ字形のフェライトコアの接合部において、内脚と外脚との間に磁束をバイパスさせる棒状のフェライトコアを設けて漏れインダクタンス値を調整することを特徴とする請求項１に記載の小型昇圧トランス。
【発明の詳細な説明】
【技術分野】
【０００１】
この発明は、液晶表示装置などのバックライトとして用いられる冷陰極放電管用のインバータ回路に使用する昇圧トランスに関する。
【背景技術】
【０００２】
液晶表示装置などのバックライトとして冷陰極放電管が使用されている。冷陰極放電管を反射板とともに表示パネルに取り付けたとき、昇圧トランスの二次側の冷陰極放電管を含む通電回路と接地との間に容量成分が形成される。
【０００３】
昇圧トランスの漏れインダクタンス値をある程度大きくすることにより、その漏れインダクタンスと昇圧トランスの二次側に形成される容量成分との間で共振回路を構成することができる。
【０００４】
インバータ回路の動作周波数と冷陰極放電管を含む放電回路の共振周波数に大幅なずれがあると、インバータ回路の出力インピーダンスと放電インピーダンスの関係から電力を有効に利用できなくなる。
【０００５】
下記特許文献に開示されているように、昇圧トランスの漏れインダクタンス値を大きくするとともに、インバータ回路の動作周波数と冷陰極放電管を含む放電回路の共振周波数とをほぼ一致させると、インバータ回路の変換効率が改善されて昇圧トランスの小型化が可能になることが開示されている。これは、昇圧トランス一次巻線に流れる励磁電流が少なくなって、トランスの一次巻線側から見た力率が向上し、昇圧トランスの銅損が減少することに基づくものである。
【特許文献１】特開２００５−１１３７５３号
【発明の開示】
【発明が解決しようとする課題】
【０００６】
このような漏れインダクタンス値を有する昇圧トランスにおいては、二次側回路の共振周波数に合わせるために、漏れインダクタンス値を最適に設定しなければならない。
【０００７】
そこで、この発明は、昇圧トランスの設計および製造を容易ならしめるために考えられたもので、所望の漏れインダクタンス値を得るために、フェライトコアに巻回された一次コイルと二次コイルとの間隔の設定を容易ならしめるように構成したものである。
【課題を解決するための手段】
【０００８】
この発明の小型昇圧トランスは、内脚および２つの外脚よりなる２つのＥ字形のフェライトコアと、四角筒形の巻線部、この巻線部の両端に形成された２つの鍔部、一端の前記鍔部の下部に形成された端子部、他端の前記鍔部の下部に形成された連結部とよりなる２つのボビンとを具備し、上記２つのボビンに一次コイルおよび二次コイルをそれぞれ巻線して、連結部により２つのボビンを連結し、上記２つのＥ字形のフェライトコアの内脚を連結したボビンの四角筒形の巻線部に挿通して接合したものである。
【発明の効果】
【０００９】
この発明の小型昇圧トランスによると、漏れインダクタンス値を大きくすること、および所望の漏れインダクタンス値に設定することが容易であるから、一次コイルに接続されたインバータ回路の動作周波数と、二次コイルに接続された冷陰極放電管を含む放電回路の共振周波数とをほぼ一致させることが容易である。
【００１０】
したがって、インバータ回路の変換効率が改善されて昇圧トランスの小型化が可能になり、昇圧トランス一次コイルに流れる励磁電流が少なくなって、トランスの一次巻線側から見た力率を向上させることを可能にする。
【発明を実施するための最良の形態】
【００１１】
（第１の実施形態）
この発明の昇圧トランスは、図１に示す２つのＥ字形フェライトコア３を突き合わせた磁芯と、図２に示す一次コイルを巻線する一次コイル用ボビンと、二次コイルを巻線する二次コイル用ボビンとにより構成される。なお、一次コイル用ボビンと二次コイル用ボビン２は、同じボビンを使用することができるので、以下、一次コイル用ボビン１について説明する。
【００１２】
Ｅ字形フェライトコア３は、図１（ａ）の平面図および図１（ｂ）（ｃ）の側面図に示すように、巻線を施す扁平な板状の内脚31と２つの外脚32とよりなり、板状の内脚31の下面は外脚32と同一平面にあり、板状の内脚31の上面は外脚32より窪んでおり、巻線したボビン１に挿通する部分を形成している。
【００１３】
そして、Ｅ字形のフェライトコア３の板状の内脚31および２つの外脚32よりなる閉磁路を形成する各部分の断面積は、ほぼ等しく設定されて磁束密度を一定化ならしめている。
【００１４】
ボビン１は、合成樹脂を成型したもので、図２（ａ）の平面図、図２（ｂ）の正面図、図２（ｃ）の底面図、図２（ｄ）（ｅ）の側面図に示すように、四角筒形の巻線部11と、この巻線部11の両端に形成された２つの鍔部12、15と、一端の鍔部12の下部に形成された端子部13と、他端の鍔部15の下部に形成された連結部16とにより構成される。
【００１５】
ボビン１の端子部13には、巻線の端部を接続するとともに、プリント基板に表面実装するための端子となるクランク状に屈曲させた端子片４が植設されており、鍔部12の内側から端子片４へ巻線を引き出す溝条14が形成されている。
【００１６】
ボビン１の連結部16は、２つのボビンを連結するもので、頭部18ａおよび頚部18ｂよりなる雄部と、雄部の頚部18ｂを受け入れる隙間17ｂおよびこの隙間17ｂに連なる頭部18ａを受け入れる湾状部17ａよりなる雌部とを軸線と直交方向に配列したものである。
【００１７】
さらに、この連結部16の側方には、クランク状に屈曲させた端子片41が植設されており、鍔部15の内側から端子片41へ巻線を引き出す溝条19が形成されている。この端子片41は、端子部13の端子片４から隔離された高電圧用の端子として使用される。
【００１８】
一次コイル用ボビン１および二次コイル用ボビン２において、両端子部13の形状は同じであり、四角筒形の巻線部11は、その長さが巻回数および線径により異なる。
【００１９】
この発明の昇圧トランスにおいては、一次コイルと二次コイルとの漏れインダクタンスを調整するためには、両コイルの間隔を変化させることが必要である。実験により得た最適なデータに基づいて、一次コイルと二次コイルとの間隔を設計する。
【００２０】
一次コイルおよび二次コイルに同じボビンを使用できる場合には、図３（ａ）の平面図に示すように、両ボビンに巻線５、５aを施して、両ボビンを連結部16により連結したのち、図３（ｂ）の平面図に示すように、両側から２つのＥ字形のフェライトコア３を挿し込むと、挿し込まれた２つのフェライトコア３の接合部34は、２つのボビンの連結部16において露出するので、コアの接合部34の周囲に接着剤を塗布して固定することができる。
【００２１】
接合されたフェライトコア３の接着をボビンの中で行うと、突き合わせた接合面の隙間に接着剤が入り、接着剤がスペーサに磁気抵抗を高めることがあり、また、固化した接着剤の熱膨張率がフェライトコア３の熱膨張率よりも大きいので、温度上昇によりフェライトコア３の内脚をボビンの外へ押し出してフェライトコアを破損することがあった。このようにフェライトコア３をボビンの中で接着することなく、露出した部分で接着すると、熱膨張率の相違に基づくフェライトコアの破損を防止することができる。
【００２２】
（第２の実施形態）
一次コイルと二次コイルとの間隔を最適値に設定する際には、ボビンの連結部16の形状を図４（ａ）の平面図および図４（ｂ）の正面図に示すように変更して、一次コイル用ボビン２とする。すなわち、２つの鍔部22、25の間隔（四角筒形の巻線部21の長さ）を必要な値および位置に設定し、端子部13と連結部16との間隔を変えることなく、連結部16を有する一方の鍔部25側にスペーサ部26を介在させる。
【００２３】
このようにスペーサ部26を介在させて、四角筒形の巻線部21に一次コイル５aを施すと、一次コイル５aと二次コイル５との間隔が拡がって漏れインダクタンス値を変化させることができる。
【００２４】
第１の実施形態と同様に、図５（ａ）の平面図に示すように、両ボビンに巻線５、５aを施して、両ボビンを連結部16により連結したのち、図５（ｂ）の平面図に示すように、両側から２つのＥ字形のフェライトコア３を挿し込むと、挿し込まれた２つのフェライトコア３の接合部34は、２つのボビンの連結部16において露出するので、コアの接合部34の周囲に接着剤を塗布して固定することができる。
【００２５】
（第３の実施形態）
一次コイル用ボビンおよび二次コイル用ボビンに同じボビンを使用しても、図６に示すように、一次コイル用ボビンの四角筒形の巻線部11にスペーサ６を嵌め込んで巻線幅を狭めることにより、一次コイルと二次コイルとの間隔を最適値に設定することができる。
【００２６】
（第４の実施形態）
図７（ａ）（ｂ）の平面図に示すように、巻線した２つのボビンと２つのＥ字形のフェライトコア３とを組み立てたとき、２つのボビンの間に外脚と内脚で囲まれた空間が存在するので、この空間において角棒状のフェライトコア35を外脚32の内側に貼り付けて、外脚32と内脚31との間に漏洩磁束を集中させる磁路を形成し、一部の磁束をバイパスさせることにより漏れインダクタンス値を調整することができる。
【００２７】
このように、漏洩磁束をフェライトコア３の内側に集中させることにより、フェライトコア３の外側に漏洩する磁束を減らすことができて、漏洩磁束に基づくノイズの発生を抑制することができる。
【図面の簡単な説明】
【００２８】
【図１】この発明の小型昇圧トランスで使用するＥ字形のフェライトコアを示す図、
【図２】この発明の小型昇圧トランスで使用する第１実施形態のボビンを示す図、
【図３】巻線した第１実施形態のボビンにフェライトコアを挿し込んだ状態を示す図、
【図４】この発明の小型昇圧トランスで使用する第２実施形態のボビンを示す図、
【図５】巻線した第２実施形態のボビンにフェライトコアを挿し込んだ状態を示す図、
【図６】この発明の小型昇圧トランスで使用する第３実施形態のボビンを示す図、
【図７】この発明の小型昇圧トランスの第４実施形態を示す図である。
【符号の説明】
【００２９】
１  一次コイル用ボビン
11  四角筒形の巻線部
12  鍔部
13  端子部
15  鍔部
16  連結部
２  二次コイル用ボビン
21  四角筒形の巻線部
22  鍔部
25  鍔部
26  スペーサ部
３  Ｅ字形のフェライトコア
31  内脚
32  外脚
34  コアの接合部
35  板状のフェライトコア
４  端子片
５  巻線
６  スペーサ
【図１】
2007281372.tif 000003
【図２】
2007281372.tif 000004
【図３】
2007281372.tif 000005
【図４】
2007281372.tif 000006
【図５】
2007281372.tif 000007
【図６】
2007281372.tif 000008
【図７】
2007281372.tif 000009